(57)【要約】      （修正有）【課題】Ｈ形断面を有するプレストレストコンクリート杭から成るコンクリート土留壁の頂部近傍をさらに強化した技術及びその施工方法を提供する。【解決手段】Ｈ形断面を有するプレストレストコンクリート杭１１の頂部近傍１６のウエブ１３に貫通孔１４を設けておき、フランジ１２を隣接させて杭１１を地中に沈設してコンクリート土留壁１０を形成し、ＰＣ鋼材２１を前記ウエブ１３の貫通孔１４を通ってほぼ水平に配設し、隣接杭１１相互間の空所に間詰めコンクリート３１を打設し、コンクリート土留壁１０を頂部近傍で一体化させる。【選択図】図１（ａ）
2006112045.tif 000002
【特許請求の範囲】
【請求項１】
Ｈ形断面を有するプレストレストコンクリート杭を、フランジを連接して地中に沈設して成り、その頂部近傍のウエブを貫通して前記連接杭を横に連結する１又は複数のほぼ水平な鉄筋又はＰＣ鋼材を備え、隣接杭間の空所に間詰めコンクリートを充填して成ることを特徴とするコンクリート土留壁。
【請求項２】
Ｈ形断面を有するプレストレストコンクリート杭の頂部近傍のウエブに貫通孔を設けておき、フランジを隣接させて該杭を地中に沈設して壁体を形成し、前記貫通孔を通る鉄筋又はＰＣ鋼材を、前記ウエブの貫通孔を通ってほぼ水平に配設し、隣接杭間の空所に間詰めコンクリートを打設し、壁体を頂部近傍で一体化させることを特徴とするコンクリート土留壁の施工方法。
【請求項３】
前記ＰＣ鋼材は、複数個の杭ごとに緊張定着し、カプラで連結して延長することを特徴とする請求項２記載のコンクリート土留壁の施工方法。
【請求項４】
前記隣接するフランジの目地部に山形鋼を予め取り付けておき、該山形鋼相互間を溶接接合することを特徴とする請求項２又は３記載のコンクリート土留壁の施工方法。
【発明の詳細な説明】
【技術分野】
【０００１】
本発明は、Ｈ形断面を有するプレストレストコンクリート杭を使用したコンクリート土留壁及びその施工方法に関する。
【背景技術】
【０００２】
本出願人は剛性に優れた地中コンクリート壁を形成するＨ形断面を有するプレストレストコンクリート杭を提供している（例えば、特許文献１参照。）。
【０００３】
土留壁用に用いるＨ形断面を有するプレストレストコンクリート杭は、部材本体のみで土圧に抵抗できるように設計されたプレストレストコンクリート製品である。しかし、通常は止水を目的として杭間にコンクリートを打設する。このコンクリートは水中で打設するため、その付着強度に疑念があり、杭との一体化が難しいという問題がある。
【特許文献１】特願２００３−１８７９２６号出願
【発明の開示】
【発明が解決しようとする課題】
【０００４】
本発明は、上記コンクリート土留壁をさらに強化した技術及びその施工方法の改善を提供することを目的とする。
【課題を解決するための手段】
【０００５】
本発明は、上記問題点を解決するためになされたもので、次の技術手段を講じたことを特徴とするコンクリート土留壁である。すなわち、本発明は、Ｈ形断面を有するプレストレストコンクリート杭を、フランジを連接して地中に沈設して成り、その頂部近傍のウエブを貫通して前記連接杭を横に連結する１又は複数のほぼ水平な鉄筋又はＰＣ鋼材を備え、隣接杭間の空所に間詰めコンクリートを充填して成ることを特徴とするコンクリート土留壁である。
【０００６】
上記本発明を好適に施工することができる本発明の方法は、Ｈ形断面を有するプレストレストコンクリート杭の頂部近傍のウエブに貫通孔を設けておき、フランジを隣接させて該杭を地中に沈設して壁体を形成し、前記貫通孔を通る鉄筋又はＰＣ鋼材を、前記ウエブの貫通孔を通ってほぼ水平に配設し、隣接杭間の空所に間詰めコンクリートを打設し、壁体を頂部近傍で一体化させることを特徴とするコンクリート土留壁及の施工方法である。
【０００７】
この場合上記コンクリート土留壁の施工方法において、前記鉄筋はスリーブ等によって順次連結して用いる。前記ＰＣ鋼材は、複数個の杭ごとに緊張し、カプラで連結して延長することとすれば、横締め効果及び連結効果を得ることができ、壁体が十分に強化されるので好適である。
【０００８】
杭を一体化させて一体の壁体とするために、杭の間詰め部の長さ数ｍに亘る面を、粗面仕上げとする。なお、水中に入る間詰めコンクリートと水位より上方のコンクリートとを別々に打設し、水位より上方のコンクリートを完全に水のない乾燥状態で打設する。こうすることによって、水位より上方の間詰めコンクリートの品質が保証され、杭内面とコンクリートとの良好な付着を確保することができる。
【０００９】
また杭自体も隣接する杭同士を連結するために、Ｈ形断面を有するプレストレストコンクリート（ＰＣ）杭のフランジの端部に山形鋼などの鋼材を埋め込んで取付け、隣接する鋼材同士を溶接することによって目地部を連結する。また、ＰＣ鋼材を予め杭頭に設けられた孔に挿入・設置し、例えば杭４個（４ｍ）毎に、間詰めコンクリートを打設後、緊張・連結する。その部分は、施工時、仮土留め内で突出した状態となる。
【００１０】
この突出部は、後に、笠コンクリートを施工すると、その中に隠れる。この笠コンクリートと杭との合成を行うために、上記ＰＣ鋼材の配置と同様に、鉄筋を前記位置に配置することとしてもよい。
【発明の効果】
【００１１】
本発明によれば、間詰めコンクリートと杭が鉄筋又はＰＣ鋼材によって一体化して合成されることにより、壁体の剛性が増し、変形が抑制されると同時に鉛直方向に部分的な載荷を受けたとしても、壁全体に荷重が分散され、局部的沈下を防ぐことができる。また、杭自体に発生する応力度が低減され、より高さの高い土留め壁として使用することができ、一方、杭の断面高さを押さえることにより、経済性が向上する。
【発明を実施するための最良の形態】
【００１２】
以下図面を参照して本発明の実施の形態を説明する。
【００１３】
図１（ａ）は本発明の実施例のコンクリート土留壁１０の平面図、図１（ｂ）はそのＡ−Ａ矢視図である。
【００１４】
コンクリート土留壁１０は、Ｈ形断面を有するプレストレストコンクリート（ＰＣ）杭１１を、フランジ１２を連接して地盤５１中に沈設して構成されている。基部１７は地中に沈設されており、ベース５２から上方は土留壁となっている。Ｈ形断面を有するＰＣ杭１１の頂部近傍１６のウエブ１３に貫通孔１４が設けられている。この貫通孔１４を通って、連接したＨ形断面を有するＰＣ杭１１を横に連結する複数のほぼ水平なＰＣ鋼材２１を備えている。隣接するＨ形断面を有するＰＣ杭１１相互間の空所に間詰めコンクリート３１を充填してＨ形断面を有するＰＣ杭を一体化してコンクリート土留壁１０を形成している。
【００１５】
ＰＣ鋼材２１は定着端２２を端部のＨ形断面を有するＰＣ杭に定着し他端を緊張端２３とし数個のＨ形断面を有するＰＣ杭をまとめて緊張し定着されている。そしてＰＣ鋼材２１はカプラ２４によって結合され、延長してさらに隣接するＨ形断面を有するＰＣ杭の緊張材として用いる。
【００１６】
本発明のコンクリート土留壁１０は以上のように頂部近傍１６がＰＣ鋼棒２１、間詰めコンクリート３１によって一体化されており、強度が大きく、例えば土留壁上に車輌その他の重負荷が掛っても、荷重を分散させて負担する。
【００１７】
図２（ａ）は別の実施例の平面図、図２（ｂ）はそのＢ−Ｂ矢視図である。図２（ａ）
、図２（ｂ）は図１（ａ）、図１（ｂ）のＰＣ鋼材２１の代りに鉄筋２５を用いたものである。その他は図１（ａ）、図１（ｂ）と同様である。鉄筋２５にプレストレスを付与することができない点を除けば、図１（ａ）、図１（ｂ）とほぼ同様の作用、効果を有する。なお鉄筋２５はスリーブ２６によって連結して延長して用いる。
【００１８】
図３は隣接するＨ形断面を有するＰＣ杭１１の隣接するフランジの目地部１５の両側に山形鋼１８を予め埋設しておき、溶接１９を施して結合した例を示している。地上部分ではこの結合により、目地を完全に塞ぎ、止水効果を高めると共に、土留壁の剛性を高めることができる。
【図面の簡単な説明】
【００１９】
【図１（ａ）】実施例の平面図である。
【図１（ｂ）】実施例の立面図である。
【図２（ａ）】実施例の平面図である。
【図２（ｂ）】実施例の立面図である。
【図３】目地の溶接構造を示す説明図である。
【符号の説明】
【００２０】
１０    コンクリート土留壁
１１    Ｈ形断面を有するプレストレストコンクリート（ＰＣ）杭
１２    フランジ
１３    ウエブ
１４    貫通孔
１５    目地
１６    頂部近傍
１７    基部
１８    山形鋼
１９    溶接
２１    ＰＣ鋼棒
２２    定着端
２３    緊張端
２４    カプラ
２５    鉄筋
２６    スリーブ
３１    間詰めコンクリート
５１    地盤
５２    ベース
【図１（ａ）】
2006112045.tif 000003
【図１（ｂ）】
2006112045.tif 000004
【図２（ａ）】
2006112045.tif 000005
【図２（ｂ）】
2006112045.tif 000006
【図３】
2006112045.tif 000007